(57)【要約】  書類、特にクレジットタイトル、保険書類、許可書または運搬書類のための偽造防止装置は、前記書類上に可視記号の少なくとも一つの印刷データフィールドを印刷するための手段と、前記印刷データフィールドのデータを読み取るための手段と、前記印刷データフィールドのデータの前記読み取るステップに応じた切断信号を生成するための手段を備えている。さらに、前記切断信号に基づいた所定の区域への書類の切断手段を備えている。特に、前記切断手段は、前記書類に、印刷データフィールドの近くに、切断データフィールドを消去不能かつ可視の手法で作るように構成されている。前記切断データフィールドは、前記印刷データフィールドに示されたデータの複製であり、前記切断データフィールドと前記印刷データフィールドの間の使用者による目視比較を可能にするように配される可視切断記号から成る。
2014507306.tif 000002
【特許請求の範囲】
【請求項１】
書類（１０，７０，９０）、特にクレジットタイトル、保険書類、許可書または運搬書類（１０，７０，９０）のための偽造防止方法であり、
・前記書類（１０，７０，９０）上に可視記号の少なくとも一つの印刷データフィールド（１２，１４，１７，１９，７２，９２）を印刷する（２５）ステップを備えており、前記印刷データフィールドは、前記書類の識別データ、特に属性データ、物品や人のデータ、または前記書類（１０，７０，９０）の正当性データ、その他を備えており、
・前記印刷データフィールド（１２，１４，１７，１９，７２，９２）のデータを読み取るステップ（３０’，３０）と、
・前記印刷データフィールド（１２，１４，１７，１９，７２，９２）のデータの前記読み取る（３０’，３０）ステップに応じた切断信号（４５）を生成するステップと、
・前記切断信号（４５）に基づいて前記書類（１０，７０，９０）を所定の区域に切断するステップを備えている方法において、
・前記切断ステップは、前記書類上への、前記印刷データフィールド（１２，１４，１７，１９，７２，９２）の近くへの、切断データフィールド（１２ａ，１４ａ，１７ａ，１９ａ，７２ａ，９２ａ）の消去不能かつ可視の手法での生成のステップを備えており、前記切断データフィールド（１２ａ，１４ａ，１７ａ，１９ａ，７２ａ，９２ａ）は、前記印刷データフィールド（１２，１４，１７，１９，７２，９２）の可視記号の複製であり、前記切断データフィールドと前記印刷データフィールドの間の使用者による目視比較を可能にするように配される可視切断記号から成ることを特徴とする方法。
【請求項２】
前記切断ステップは、前記書類をせん孔することによって、前記切断データフィールド（１２ａ，１４ａ，１７ａ，１９ａ，７２ａ，９２ａ）の前記記号の複製を提供し、特に前記せん孔は、前記フィールドの前記記号を記述する複数の小さい貫通孔でおこなわれる、請求項１に記載の方法。
【請求項３】
前記切断ステップは、前記書類をせん孔しない材料の除去によって、前記書類（１０，７０，９０）を貫通しない複数の浅い摩損個所を、特に有色材料が取り除かれる前記書類の有色背景上に、前記有色背景の摩損個所によって前記切断記号（１２ａ，１４ａ，１７ａ，１９ａ，７２ａ，９２ａ）が再生されるように作ることによって、前記切断データフィールド（１２ａ，１４ａ，１７ａ，１９ａ，７２ａ，９２ａ）の前記記号の複製を提供する、請求項１に記載の方法。
【請求項４】
前記読み取るステップ（３０’，３０）は、光学式認識から始まりコンピューター計算される対応切断信号（４５）を作り出すために、前記書類（１０，７０，９０）上の前記印刷データフィールド（１２，１４，１７，１９，７２，９２）の光学式記号認識と共に走査するステップを提供する、請求項１に記載の方法。
【請求項５】
前記読み取るステップ（３０’，３０）および切断ステップは、連続的シーケンスとして複数の前記書類が供給される連続ライン上でおこなわれる、請求項１に記載の方法。
【請求項６】
前記方法は、前記印刷ステップ（２５）のあいだ、前記書類（１０，７０，９０）上に所定のアクティベーション／コマンドコード（３２）を印刷することを提供し、前記読み取るステップ（３０’，３０）は、
・前記印刷ステップ中に前記書類（１０，７０，９０）上に印刷された前記アクティベーション／コマンドコード（３２）を読み取るステップ（３０’，３０）と、
・前記アクティベーション／コマンドコード（３２）を光学的に認識するステップと、
・前記アクティベーション／コマンドコード（３２）を前記書類の識別データと関連づけるステップと、
・前記識別データに応じた切断信号を生成するステップと、
・前記印刷データフィールド（１２，１４，１７，１９，７２，９２）の近くに前記切断データフィールド（１２ａ，１４ａ，１７ａ，１９ａ，７２ａ，９２ａ）を複製する前記所定のアクティベーション／コマンドコード（３２）によって引き金が引かれるテキスト／コマンドを生成するために、前記切断信号（４５）に応じて前記書類（１０，７０，９０）を切断するスレップをさらに提供する、請求項１に記載の方法。
【請求項７】
前記切断ステップは、前記アクティベーション／コマンドコード（３２）に応じて、前記印刷データフィールド（１２，１４，１７，１９，７２，９２）の同じ記号を複製する前記切断データフィールド（１２ａ，１４ａ，１７ａ，１９ａ，７２ａ，９２ａ）を作成することを可能にするレーザー切断ステップである、請求項１に記載の方法。
【請求項８】
前記アクティベーション／コマンドコードは、書類の部分を分離するための、または紙の連続ウェブ上への印刷書類の隣接シートを分離するためのせん孔ラインの生成に関する追加データを包含している、請求項５と６に記載の方法。
【請求項９】
書類（１０，７０，９０）のための、特にクレジットタイトル、保険書類、許可書または運搬書類（１０，７０，９０）のための偽造防止装置であり、
・前記書類（１０，７０，９０）上に可視記号の少なくとも一つの印刷データフィールド（１２，１４，１７，１９，７２，９２）を印刷するための印刷手段（２５）を備えており、前記印刷データフィールドは、前記書類の識別データ、特に属性データ、物品や人のデータ、または前記書類（１０，７０，９０）の正当性データ、その他を備えており、
・前記印刷データフィールド（１２，１４，１７，１９，７２，９２）からデータを読み取るための読み取り手段（３０’，３０）と、
・前記印刷データフィールド（１２，１４，１７，１９，７２，９２）のデータの前記読み取りステップ（３０’，３０）に応じた切断信号（４５）を生成するための手段と、
・前記切断信号（４５）に基づいて前記書類（１０，７０，９０）を所定の区域に切断するための切断手段を備えている装置において、
・前記切断手段は、前記書類上に、前記印刷データフィールド（１２，１４，１７，１９，７２，９２）の近くに、切断データフィールド（１２ａ，１４ａ，１７ａ，１９ａ，７２ａ，９２ａ）を消去不能かつ可視の手法で切断するように配されており、前記切断データフィールド（１２ａ，１４ａ，１７ａ，１９ａ，７２ａ，９２ａ）は、前記印刷データフィールド（１２，１４，１７，１９，７２，９２）に示されたデータの複製であり、前記切断データフィールドと前記印刷データフィールドの間の使用者による目視比較を可能にするように配される可視切断記号から成ることを特徴とする装置。
【請求項１０】
前記切断手段は、前記書類をせん孔することによって、前記切断データフィールド（１２ａ，１４ａ，１７ａ，１９ａ，７２ａ，９２ａ）の前記記号を複製するように配されており、特に前記せん孔は、前記フィールドの前記記号を記述する複数の小さい穴でおこなわれる、請求項８に記載の装置。
【請求項１１】
前記切断手段は、前記書類をせん孔しない材料の除去によって、前記書類（１０，７０，９０）を貫通しない複数の浅い摩損個所を、特に有色材料が取り除かれる前記書類の有色背景上に、前記有色背景の摩損個所によって前記切断記号（１２ａ，１４ａ，１７ａ，１９ａ，７２ａ，９２ａ）が再生されるように作ることによって、前記切断データフィールド（１２ａ，１４ａ，１７ａ，１９ａ，７２ａ，９２ａ）の前記記号を複製するように配されている、請求項８に記載の装置。
【請求項１２】
読み取るための前記手段（３０’，３０）は、光学式認識から始まりコンピューター計算される対応切断信号（４５）を作り出すために、前記書類（１０，７０，９０）上の前記印刷データフィールド（１２，１４，１７，１９，７２，９２）の前記記号を光学式認識と共に走査するように構成されている、請求項８に記載の装置。
【請求項１３】
前記印刷手段（２５）は、前記書類（１０，７０，９０）上の所定のアクティベーション／コマンドコード（３２）を印刷するように構成されており、読み取るための前記手段（３０’，３０）は、
・前記印刷手段によって前記書類（１０，７０，９０）上に印刷された前記アクティベーション／コマンドコード（３２）を読み取るための手段（３５）と、
・前記書類上の前記アクティベーション／コマンドコード（３２）を認識するための光学手段と、
・前記アクティベーション／コマンドコード（３２）を前記書類の識別データと関連づけるための手段と、
・前記識別データに応じた切断信号を生成するための手段（４０）と、
・前記印刷データフィールド（１２，１４，１７，１９，７２，９２）の近くに前記切断データフィールド（１２ａ，１４ａ，１７ａ，１９ａ，７２ａ，９２ａ）を複製する前記所定のアクティベーション／コマンドコード（３２）によって引き金が引かれるテキスト／コマンドを生成するために前記切断信号（４５）に応じて前記書類（１０，７０，９０）を切断するための手段（５０）を備えている、請求項８に記載の装置。
【請求項１４】
前記切断手段（５０）は、前記アクティベーション／コマンドコード（３２）に応じて、前記印刷データフィールド（１２，１４，１７，１９，７２，９２）の同じ記号を複製する前記切断データフィールド（１２ａ，１４ａ，１７ａ，１９ａ，７２ａ，９２ａ）を作成するレーザー切断手段である、請求項８に記載の装置。
【請求項１５】
前記レーザー切断手段（５０）は、所定の切断エリアに囲まれた少なくとも一つのレーザービーム（５１）を生成するように適合された前記書類の上方に配された少なくとも一つのレーザーヘッドを備えており、前記レーザー切断手段（５０）は、前記書類上の切断速度を調節することを可能にする前記レーザービーム（５１）の調整手段と関連づけられている、請求項１４に記載の装置。
【発明の詳細な説明】
【技術分野】
【０００１】
本発明は、書類、特に銀行小切手などの紙書類や、乗り物のための保険書類、乗り物のための通行許可書、物品のための運搬書類ほかなどの他のタイプの書類のための偽造防止方法に関する。
【０００２】
さらに、本発明は、前記方法を実行するための装置に関する。
【背景技術】
【０００３】
よく知られているように、銀行などの金融機関や、他の個人または公共団体は、払戻小切手のような銀行小切手、一般に銀行手形を発行し、それから、それらは、たとえば不正確にまたは多く支払われたお金を払い戻すために、彼らのそれらの顧客に送られる。
【０００４】
特に、払戻小切手は、払戻額と受取人などで埋められたフィールドと一緒に小切手を印刷するデータ処理印刷システムによって自動的に生成される。それから、これらの小切手は郵便によって受取人に配達される。
【０００５】
頻度が増加するにつれて、一般に低額のそのような小切手が郵送後に偽造されることが起こる。より正確には、いったん小切手を盗んだならば、偽造者は、受取人の名前を変えることができ、彼らと直接関係のある架空会社または人を示し、小切手に示された総額を回収することができる。
【０００６】
受取人が金融機関に払戻小切手を送ることを思い出させない限り、そのような偽造処置は、発見するのが特に難しい。
【０００７】
この場合、銀行は、新しい払戻小切手を発行すべきであるが、再び配達されないという同じ危険は伴う。
【０００８】
たとえば、路上を巡回する乗り物に露出されなければならない保険書類のための他の書類偽造もある。特に保険書類は、たとえば、保険証書の失効の日付、契約の数、または他のデータを修正して偽造される。
【０００９】
偽造書類のまたさらなる例は、公共機関または当局から来るものである。たとえば、通行のためのパスや駐車許可の許可書が必要とされる区域内における有効な許可書などの乗り物のための許可書は、乗り物のプレートまたは登録番号、物品を運ぶための書類、その他を変えて偽造され得る。
【００１０】
明らかに、偽造され得る書類、一般に紙書類の他の例がある。
【００１１】
書類のための多くの偽造防止方法、たとえば、すかし、プラスチック化、変更可能なデータフィールドを保護膜で覆う被覆層が存在する。しかしながら、これらの方法は、入手可能なグラフィック技術およびシステムによって熟練偽造者によって容易に偽造され得る。
【００１２】
ＷＯ２００８０９３０９３には、パスポート、識別カードまたは運転免許などの書類、またコンパクトディスク、ＤＶＤ、その他、その真正さを証明する一義的数字または識別コードに関する偽造防止方法が説明されている。この場合、製品の真正さは、データベースと比較される数字または識別コードを読み取る読み取り機によって制御され得る。もし二つのコードが一致すれば、製品または書類は本物である。
【先行技術文献】
【特許文献】
【００１３】
【特許文献１】ＷＯ２００８０９３０９３
【発明の概要】
【００１４】
書類、たとえばクレジットタイトル、許可書、運搬書類、保険書類のための偽造防止方法を提供することが本発明の特徴であり、それは、小切手のフィールドやＩＤナンバーや他の感知可能データなどの、書類の少なくとも一つのフィールドを偽造することを防止することを可能にする。
【００１５】
クレジットタイトル、特に小切手のフィールドを偽造することを防止する銀行小切手のための偽造防止方法を提供することが、本発明の特別の特徴である。
【００１６】
上記の記述されたクレジットタイトル、保険書類、教科書、または運搬書類の専用印刷システムで実施され得るクレジットタイトルのための偽造防止方法を提供することも、本発明の特徴である。
【００１７】
同じ目的を達成する書類のための偽造防止装置を提供することも、本発明の特徴である。
【００１８】
これらのおよび他の目的は、書類、特にクレジットタイトル、保険書類、許可書または運搬書類のための偽造防止方法であり、
・前記書類上に可視記号の少なくとも一つの印刷データフィールドを印刷するステップを備えており、前記印刷データフィールドは、前記書類の識別データ、特に属性データ、物品や人のデータ、または前記書類の正当性データ、その他を備えており、
・前記印刷データフィールドのデータを読み取るステップと、
・前記印刷データフィールドから読み取られたデータに応じた切断信号を生成するステップと、
・前記切断信号に基づいて前記書類を所定の区域に切断するステップを備えており、
前記切断ステップは、前記書類上への、前記印刷データフィールドの近くへの、切断データフィールドの消去不能かつ可視の手法での生成のステップを備えており、前記切断データフィールドは、前記印刷データフィールドの可視記号の複製であり、前記切断データフィールドと前記印刷データフィールドの間の使用者による目視比較を可能にするように配される可視切断記号から成る、方法によって達成される。
【００１９】
有利には、前記切断ステップは、前記書類をせん孔することによって、前記切断データフィールドの前記記号の複製を提供する。
【００２０】
特に、前記せん孔は、前記フィールドの前記記号を記述する複数の小さい貫通孔でおこなわれる。このように、たとえば、クレジットタイトルの場合の受取人フィールド、または保険書類のまたは駐車許可書の場合の乗り物登録番号と乗り物の種類と有効期日、物品や人の識別データ、その他など、書類の任意のデータフィールドのそれらを複製する切断記号を書類上に再生することが可能であり、同一物を偽造するどんな可能な試みも挫折させる。オリジナルの書類の中にあるデータを複製する切断データは、実際、オリジナルデータを単純に消去して偽造データを再印刷することによって書類データを偽造するあらゆる可能性も危うくする。実際、データフィールド内に再印刷された記号が切断データと一致しないならば、偽造の明白な証拠となる。
【００２１】
特に、書類上のあらゆる失われた材料、紙またはプラスチックのいずれかは、置き換えが見えることなく、他の材料で置き換えることは非常に難しい。代わりに、偽造が全体の書類を複製することからなる場合、保護された記号を記述する切断を偽造書類中にも繰り返す必要があり、偽造には妥当な困難と伴う。  あるいは、前記切断ステップは、前記書類をせん孔しない材料の除去によって、特に前記書類の有色背景から、前記有色背景の摩損個所によって前記切断記号が再生されるように、有色材料が取り除かれ、前記切断データフィールドの前記記号の複製を提供する。
【００２２】
特に、前記切断ステップは、材料の除去での前記データフィールドの前記複製に加えて、連続印刷プロセス中に異なる書類を互いから分離するための引き裂きラインを得る直線の切断を提供する。
【００２３】
第一の代表的実施形態では、前記読み取るステップは、光学式認識から始まりコンピューター計算される対応切断信号を作り出すために、前記書類上の前記印刷データフィールドの光学式記号認識と共に走査するステップを提供する。この代表的実施形態では、それから、あらかじめ印刷された書類の少なくとも一つのフィールドのＯＣＲ走査ステップと、切り込み付きデータを最終的に複製するための走査データのコンピューター計算ステップがある。
【００２４】
特に、前記読み取るステップは、前記書類のさらなるフィールドのＯＣＲ走査を提供し、前記切断ステップは、前記さらなるフィールドの複製を提供する。たとえば、銀行小切手では、前記小切手の総数の文字が前記小切手の総数の図と共に複製されてよく、一方、保険書類や駐車許可書では、乗り物登録番号と乗り物の種類が有効期日と共に複製されてよい。これは、あらゆる可能な偽造を回避する書類の安全性の割合を増加させる。
【００２５】
有利には、前記読み取るおよび切断ステップは、連続的シーケンスとして複数の前記書類が供給される連続ライン上でおこなわれる。この場合、各書類について、次のステップ、所定のデータフィールドの走査ステップと、前記データフィールドにある英数字記号の光学式認識と、データフィールドの記号を決められた切断記号で再生するために好適な続く切断がおこなわれる。
【００２６】
第二の代表的実施形態では、前記方法は、前記印刷ステップのあいだ、前記書類上に所定のアクティベーション／コマンドコードを印刷することを提供し、前記読み取るステップは、
・前記印刷ステップ中に前記書類上に印刷された前記アクティベーション／コマンドコードを読み取るステップと、
・前記アクティベーション／コマンドコードを光学的に認識するステップと、
・前記アクティベーション／コマンドコードを前記書類の識別データと関連づけるステップと、
・前記アクティベーション／コマンドコードの前記読み取りに応じた切断信号を生成するステップと、
・前記印刷データフィールドの近くに前記切断データフィールドを再生する前記所定のアクティベーション／コマンドコードによって引き金が引かれるテキスト／コマンドを生成するために、前記切断信号に応じて前記書類を切断するステップを有している。
【００２７】
特に、前記切断ステップは、前記アクティベーション／コマンドコードに応じて、前記印刷データフィールドの同じ記号を複製する前記切断データフィールドを作成することを可能にするレーザー切断ステップである。このように、前記アクティベーション／コマンドコードに応じた前記レーザー切断は、各種類の書類について、前記データフィールドの専用の複製を得ることを可能にする。
【００２８】
特に、前記アクティベーション／コマンドコードは、書類の部分を分離するための、または紙の連続ウェブ上への印刷書類の隣接シートを分離するためのせん孔ラインの生成に関する追加データを包含している。このように、前記書類上に希望の形態の引き裂きラインを提供することが可能である。
【００２９】
有利には、前記アクティベーション／コマンドコードは、
バーコード、データマトリックスまたは他のタイプから成る群から選択された光学コードである。
【００３０】
特に、前記光学コードは、レーザーで切断することによって希望のデータフィールドを複製すること、また前記書類上に、たとえば、互いから多くの書類を分離するための引き裂きラインまたはクリーン切断を実行するための切断制御の両方に対するデータを包含している。
【００３１】
本発明の別の側面によれば、書類、特にクレジットタイトル、保険書類、許可書または運搬書類は、
・前記書類上に可視記号の少なくとも一つの印刷データフィールドを印刷するための手段を備えており、前記印刷データフィールドは、前記書類の識別データ、特に属性データ、物品や人のデータ、または前記書類の正当性データ、その他を備えており、
・前記印刷データフィールドからデータを読み取るための読み取り手段と、
・前記印刷データフィールドから読み取られたデータに応じた切断信号を生成するための手段と、
・前記切断信号に基づいて前記書類を所定の区域に切断するための切断手段を備えており、
前記切断手段は、前記書類上に、前記印刷データフィールドの近くに、切断データフィールドを消去不能かつ可視の手法で作るように配されており、前記切断データフィールドは、前記印刷データフィールドに示されたデータの複製であり、前記切断データフィールドと前記印刷データフィールドの間の使用者による目視比較を可能にするように配される可視切断記号から成る。
【００３２】
有利には、前記切断手段は、前記書類をせん孔することによって、前記切断データフィールドの前記記号を複製するように配されている。
【００３３】
あるいは、前記切断手段は、前記書類をせん孔しない材料の除去によって、たとえば有色背景上の、前記書類を貫通しない複数の浅い摩損個所を介して、有色材料が取り除かれ、前記有色背景の摩損個所によって前記切断記号が再生されるように、前記切断データフィールドの前記記号を複製するように配されている。
【００３４】
特に、前記切断手段は、材料の除去を伴った前記データフィールドの複製を越えて、連続印刷プロセス中に互いから異なる書類を分離するための引き裂きラインを得るように直線の切断ラインを切断するように配されている。
【００３５】
第一の代表的実施形態では、読み取るための前記手段は、光学式認識走査から始まりコンピューター計算される対応切断信号を作り出すために、前記書類上の前記印刷データフィールドの前記記号を光学式認識と共に走査するように適合されている。
【００３６】
特に、読み取るための前記手段は、前記書類のさらなるフィールドを走査し、相対的光学式認識を分析するように適合されており、前記切断手段は、前記さらなるフィールドを複製するように配されている。
【００３７】
有利には、読み取るおよび切断するための前記手段は、連続的シーケンスとして、クレジットタイトル、保険書類または許可書類、運搬書類、その他など、複数の前記書類が提供される連続ライン上に配されるように適合されている。この場合、各書類について、次のステップ、前記書類のデータフィールドを走査すること、前記データフィールド中にある英数字記号の光学式認識、データフィールドの記号を複製するように書前記類を対応切断記号で切断することがおこなわれる。
【００３８】
第二の代表的実施形態では、印刷するための前記手段は、前記書類上に所定のアクティベーション／コマンドコードを印刷するように適合されており、読み取るための前記手段は、
・前記印刷手段によって前記書類上に印刷された前記アクティベーション／コマンドコードを読み取るための手段と、
・前記書類上の前記アクティベーション／コマンドコードを認識するための光学手段と、
・前記アクティベーション／コマンドコードを前記書類の識別データと関連づけるための手段と、
・前記識別データに応じた切断信号を生成するための手段と、
・前記印刷データフィールドの近くに前記切断データフィールドを再生する前記所定のアクティベーション／コマンドコードによって引き金が引かれるテキスト／コマンドを生成するために前記切断信号に応じて前記書類を切断するための切断手段を備えている。
【００３９】
特に、前記切断手段は、前記アクティベーション／コマンドコードに応じて、前記印刷データフィールドの同じ記号を複製する前記切断データフィールドを作成するレーザー切断手段である。
【００４０】
有利には、前記アクティベーション／コマンドコードは、バーコード、データマトリックスまたは他のタイプから成る群から選択された光学コードである。
【００４１】
特に、前記光学コードは、レーザーによって希望のデータフィールドを切断することによって複製すること、また前記書類上に、たとえば、互いから多くの書類を分離するための引き裂きラインまたはクリーン切断を実行するための切断制御の両方に対するコマンドデータを包含するように構成される。
【００４２】
特に、前記レーザー切断手段は、所定の切断エリアに囲まれた少なくとも一つのレーザービームを生成するように適合された前記書類の上方に配された少なくとも一つのレーザーヘッドを備えており、前記レーザー切断手段は、前記書類上の切断速度を調節することを可能にする前記レーザービームの調整手段と関連づけられている。
【００４３】
このように、たとえば、複製すべきテキスト、たとえば軽い摩損個所での複製または書類のせん孔での複製を応じた、または切断がなされる紙書類の密度の種類に応じた、または他のパラメーターに応じた、多かれ少なかれ明白な切断を得ることが可能である。
【図面の簡単な説明】
【００４４】
本発明はいま、添付図を参照して、例示するが限定的ではない、代表的実施形態の続く説明と共に示される。
【図１】図１は、クレジットタイトル、特に銀行小切手の斜視図を図式的に示している。
【図２】図２は、切断手段と関連づけられた少なくとも一つのスキャナーによって構成された図１のクレジットタイトルの偽造防止装置の斜視図を図式的に示している。
【図３】図３は、対応切断信号を生成するように構成されたプログラムユニットに接続された記号の光学式認識のための手段と関連づけられたクレジットタイトルのヘッディング・フィールドを走査するように配されたスキャナーの拡大図を図式的に示している。
【図４】図４は、連続印刷ラインに装着された、本発明による、偽造防止装置の斜視図を図式的に示している。
【図５】図５は、受取人データフィールドの切断によって複製されたテキストが示されている偽造防止装置の出口におけるクレジットタイトルの斜視図を図式的に示している。
【図６】図６は、受取人データフィールドとさらなるフィールド、たとえば手書きの小切手額のフィールドを切断によって複製することが示されている偽造防止装置の出口におけるクレジットタイトルの代表的実施形態の斜視図を図式的に示している。
【図７】図７は、レーザー切断手段に送信される対応切断信号を生成するアクティベーション／コマンドコードを読み取ることを提供する装置の代表的実施形態の斜視図を図式的に示している。
【図８】図８は、クレジットタイトルの受取人データフィールドの切断のあいだにレーザービームの動作を描いている、図７の装置を詳細図で示している。
【図９】図９は、書類のサイドエッジに印刷されたアクティベーション／コマンドコードの代表的実施形態を示している。
【図９Ａ】図９Ａは、書類のサイドエッジに印刷されたアクティベーション／コマンドコードの代表的実施形態を示している。
【図１０】図１０は、オリジナルバージョンの保険書類の平面図を示している。
【図１０Ａ】図１０Ａは、乗り物登録番号と保険証書の有効期日が切断によって複製されている、本発明による、偽造防止装置を介した印刷バージョンの保険書類の平面図を示している。
【図１１】図１１は、オリジナルバージョンの障害者のための通行の書類の平面図を示している。
【図１１Ａ】図１１Ａは、許可書番号と人の名前が切断によって複製さている、本発明による、偽造防止装置を介した印刷バージョンの障害者のための通行の書類の平面図を示している。
【発明を実施するための形態】
【００４５】
図１および２を参照して、本発明による、方法を実行するための、クレジットタイトル１０（図１）、保険書類７０（図１０）、許可書または運搬書類９０（図１１）などの書類のための偽造防止装置１００が説明される。特に、装置１００は、書類１０，７０，９０の識別データを備えている少なくとも一つのそれぞれのデータフィールド１２、１４、１７、１９、７２または９２を、特に図１の書類の場合にクレジット書類の額と所有者を書類１０、７０または９０上に可視記号で印刷するように配された印刷手段２５（図４）を備えている。他の書類の場合、以下で説明されるように、そのような識別データはまた、物品や人の特徴、データ、または書類その他の有効期日に関連し得る。
【００４６】
装置１００はさらに、書類１０上に印刷されたデータフィールド１２，１４を読み取るための手段３０，３０’（図２）と、読み取り手段３０／３０’によって取得されたデータフィールド１２，１４に応じた切断信号４５を生成するための手段４０（図３）を備えている。
【００４７】
さらに、図２および４に示されるように、装置は、切断信号４５（図３）に基づいて書類１０を所定の区域に切断するための手段５０を備えている。特に、切断手段５０は、書類１０上に印刷データフィールド１２，１４の近くに、切断データフィールド１２ａ，１４ａ（図５と６）消去不能かつ可視の手法で作るように構成されている。切断データフィールド１２ａ，１４ａは、印刷データフィールド１２，１４によって示されたデータの複製であり、切断データフィールド１２ａ，１４ａと印刷データフィールドの１２，１４の間の使用者による目視比較を可能にするように記述される可視切断記号から成る。このように、データフィールド１２，１４の記号を繰り返す切断記号を書類１０上に再生することが可能である。
【００４８】
さらに、他のデータフィールド１７，１９，７２，９２は、たとえば保険書類や駐車許可書の所有者データフィールド、物品または人の識別データ、その他など、以下に示されるような関連複製切断フィールド１７ａ，１９ａ，７２ａ，９２ａで印刷されてよく、同一物を偽造するいずれの可能な試みも挫折させる。このシステムで作られ得る他の書類はたとえばレストランチケットである。
【００４９】
これらの場合、切断データフィールド１７ａ，１９ａ，７２ａ，９２ａを備えている対応書類１０’（図６）、７０’（図１０Ａ）および９０’（図１１Ａ）が得られる。
【００５０】
オリジナル書類１０，７０，９０中の識別データを複製する切断は、実際、オリジナルデータを単純に消去して偽造データを再印刷することによって書類データを偽造するあらゆる可能性も危うくする。実際、データフィールド１２，１４，１７，１９，７２，９２に印刷された記号が切断データ１２ａ，１４ａ，１７ａ，１９ａ，７２ａ，９２ａと一致しないならば、偽造の明白な証拠となる。言いかえれば、紙またはプラスチック書類上の、失われた材料は、置き換えが見えることなく、他の材料で置き換えることは非常に難しい。代わりに、偽造が全体の書類１０，７０，９０を繰り返すことからなる場合、保護された記号を記述する切断を偽造書類１０，７０，９０にも繰り返す必要があり、偽造には妥当な困難が伴う。
【００５１】
管理の場合、データフィールド１２，１４，１７，１９，７２，９２に印刷された記号が切断データフィールド１２ａ，１４ａ，１７ａ，１９ａ，７２ａ，９２ａと一致することを管理者がチェックするには十分である。
【００５２】
より詳細には、図２および３の代表的実施形態では、読み取り手段３０は、書類１０，７０，９０上にあらかじめ印刷されたデータフィールド１２，１４，１７，１９，７２，９２の記号の光学式認識とともにスキャナー３５によって表わされ、対応切断信号４５は光学式認識から始まりコンピューター計算され得る。特には、スキャナー３５は、クレジットタイトル１０（図３）の受取人データフィールド１２および／または他のフィールドにあるテキストのＯＣＲジョブをおこない、手書きをも含む、英数字の記号の希望のフォントを認識する。
【００５３】
詳細には、図３に示されるように、切断信号を生成するための手段は、スキャナー３５によって作り出されるデータを格納することができ、切断手段５０に送信され得る光学式認識と共に変換をおこなうプログラムユニット４０によって示される。特に、切断手段５０は、書類１０，７０，９０上の記号をせん孔するためのせん孔手段、または、せん孔の代わりに、たとえば有色背景上のフィールド中の書類１０，７０，９０の複数の浅い摩損個所によって書類１０，７０，９０をせん孔せずに材料を除去するための手段であり、摩損個所のための手段が色を除去し、有色背景の摩損個所によって記号が再生される手段から成る群から選択することができる。
【００５４】
特に、走査手段３５は、書類１０のさらなるフィールド１４をも同時に走査して相対的光学式認識データを分析するように構成されており、切断手段５０は、切断によってさらなるフィールド１４を複製するように構成されている。たとえば、図５および６に示されるような銀行小切手では、小切手１４の書き込み額は、図中の額のほかに、切断記号１４ａによって複製され得るのに対して、保険書類または駐車許可書７０では、乗り物登録番号７２，７２ａ（図１０Ａ）や許可書番号９２，９２ａや乗り物の種類のほか、有効期日１７，１７ａ（図１１Ａ）と所有者データフィールド１９，１９ａが複製され得る。これは、あらゆる可能な偽造を回避する書類１０，７０，９０の安全性の割合を増加させる。
【００５５】
図７に示されるように、読み取り手段３０’，３０と切断するための手段５０は、連続的シーケンスとしてクレジットタイトル１０、保険書類７０または、書類９０、運搬書類、その他など、複数の書類１０，７０，９０が搬送される連続ライン上に配されるように構成されている。この場合、各書類１０，７０，９０について、次のステップ、
書類１０，７０，９０の印刷データフィールド１２，１４，１７，１９のデータの走査ステップと、データフィールド１２，１４，１７，１９中にある可視記号の光学式認識と、切断記号１２ａ，１４ａ，１７ａ，１９ａ，７２ａ，９２ａとして印刷データフィールドの記号を複製するのに好適な後続切断ステップがおこなわれる。
【００５６】
さらに、図８に示されるように、切断手段５０は、材料の除去でのデータフィールド１２，１４，１７，１９，７２，９２を複製すること、連続印刷プロセスで異なる書類を互いに分離するための引き裂きライン２４を得るために直線の切断を作ることの両方をおこなうように構成されている。
【００５７】
常に、図７および８に示されるように、連続印刷手段２５は、書類１０，７０，９０の、図９および９Ａにより良く示される、所定のアクティベーション／コマンドコード３２を印刷するように構成されており、読み取り手段３０’，３０は、印刷手段によって書類１０，７０，９０上に加えられたアクティベーション／コマンドコード３２を読み取るように構成されている。
【００５８】
特に、アクティベーション／コマンドコード３２は、書類から最終的に切り裂かれる書類の側部１１上に印刷される。
【００５９】
さらに、生成するための手段４０’は、読み取られたアクティベーション／コマンドコード３２に応じて切断信号４５’を生成するように構成されており、切断手段５０は、切断すべきテキストを生成するために切断信号’４５に基づいて書類１０，７０，９０を切断するように構成されており、図８に示されるように所定のアクティベーション／コマンドコード３２によって駆動される。
【００６０】
特に、切断手段５０は、アクティベーション／コマンドコード３２に応じて、印刷データフィールド１２，１４，１７，１９，７２，９２を複製する切断データフィールド１２ａ，１４ａ，１７ａ，１９ａ，７２ａ，９２ａを作成するとともに、多くの書類の間の切断ライン２４を作成することもできるレーザー切断手段である。より正確には、アクティベーション／コマンドコード３２は、バーコード３２ａ（図９）、データマトリックス３２ｂ（図９Ａ）、または他のコードタイプから成る群から選択される光学コードである。
【００６１】
特に、光学コード３２は、レーザー５０によって希望のデータフィールド１２，１４，１７，１９，７２，９２を切断することによって複製すること、多くの書類を互いに分離するための、引き裂きラインまたはきれいな切断としての切断線２４にしたがって書類１０，７０，９０を切断することの両方に関連するコマンドデータを包含することができる。このように、レーザービーム切断はアクティベーションコードに応じており、ドライバー３２は、各種類の書類１０，７０，９０について、データフィールド１２，１４，１７，１９，７２，９２の専用の複製または引き裂きラインの専用の形態を得ることを可能にする。言いかえれば、アクティベーション／コマンドコードの使用は、さらに、同じ印刷ライン上の各紙書類について異なる動作をおこなうことを可能にする。
【００６２】
特には、レーザー切断手段は、書類１０，７０，９０の上方に、特殊支持フレーム５２によって配された、所定の切断エリア５３（図７）に囲まれた少なくとも一つのレーザービーム５１を生成するように適合された少なくとも一つのレーザーヘッド５０を備えている。レーザーヘッド５０は、さらに、書類１０，７０，９０上の切断速度を次々に調節するためにレーザービーム５１を調節するための調整手段５４と関連づけられている。このように、切断が形成された書類１０，７０，９０の材料の種類の密度に応じて、または、他のパラメーターに応じて、軽い摩損個所での複製または書類１０，７０，９０のせん孔での複製であってよい、たとえば複製すべきテキストに応じて、多かれ少なかれ明白な切断を得ることが可能である。
【００６３】
特定の代表的実施形態の先の説明は、概念の視点にしたがって本発明を非常に完全に明らかにし、その結果、他のものは、現在の知識の適用によって、さらなるリサーチなしで、また本発明から逸脱することなく、この特定の代表的実施形態を修正および／またはさまざまな用途に適用することが可能であり、そして、そのような適合および修正は、特定の実施形態と等価であると見なされなければならない。ここに説明されたいろいろな機能を実現する手段および材料は、この理由のため、発明の分野から逸脱することなく、いろいろな性質を有していてよい。ここに使用される語法または用語は、説明のためであり限定的でないことが理解されるべきである。
【図１】
2014507306.tif 000003
【図２】
2014507306.tif 000004
【図３】
2014507306.tif 000005
【図４】
2014507306.tif 000006
【図５】
2014507306.tif 000007
【図６】
2014507306.tif 000008
【図７】
2014507306.tif 000009
【図８】
2014507306.tif 000010
【図９】
2014507306.tif 000011
【図９Ａ】
2014507306.tif 000012
【図１０】
2014507306.tif 000013
【図１０Ａ】
2014507306.tif 000014
【図１１】
2014507306.tif 000015
【図１１Ａ】
2014507306.tif 000016
【国際調査報告】
2014507306.tif 000017
2014507306.tif 000018
2014507306.tif 000019